(57)【要約】【課題】内部に電動モータ等の動作機構を設けず、全体の構造を単純化することができ、インレットミキサを原子炉圧力容器内に設置したままノズル内部のクラッドを除去することができる原子炉ジェットポンプのノズル内高圧洗浄装置を提供する。【解決手段】原子炉ジェットポンプ６のノズル内高圧洗浄装置４は、パイプ１１と、パイプ１１の一端に設けられた洗浄ヘッド１０と、パイプ１１の他端に連結されパイプ１１の内部に水を供給する高圧ホース１５と、スロート２内に配置され、パイプ１１をスロート２内で案内してノズル３側へ導く位置決めガイド１３とを備えている。洗浄ヘッド１０は、水平方向の全周方位に水を噴射する多数の噴射孔１０ａを有する。これにより、洗浄ヘッド１０をインレットミキサ１のノズル３内部で回転させたり上下動させたりする動作機構が不要になり、ノズル内高圧洗浄装置４を簡素化できる。【選択図】図２
2007178191.tif 000002
【特許請求の範囲】
【請求項１】
原子炉圧力容器内に設置されスロートを有するジェットポンプに組み込まれたインレットミキサのノズル内部を洗浄するノズル内高圧洗浄装置において、
パイプと、
パイプの一端に設けられた洗浄ヘッドとを備え、
洗浄ヘッドは、水平方向の全周方位に水を噴射する多数の噴射孔を有することを特徴とする原子炉ジェットポンプのノズル内高圧洗浄装置。
【請求項２】
原子炉圧力容器内に設置されスロートを有するジェットポンプに組み込まれたインレットミキサのノズル内部を洗浄するノズル内高圧洗浄装置において、
パイプと、
パイプの一端に設けられた洗浄ヘッドとを備え、
洗浄ヘッドは、水平方向に水を噴射する少なくとも一つの噴射孔を有し、洗浄ヘッドは噴射孔からの噴射水によりパイプに対して回転することを特徴とする原子炉ジェットポンプのノズル内高圧洗浄装置。
【請求項３】
パイプの他端に連結されパイプの内部に水を供給する高圧ホースと、
スロート内に配置され、パイプをスロート内で案内してノズル側へ導く位置決めガイドと、
を更に備えたことを特徴とする請求項１または２に記載の原子炉ジェットポンプのノズル内高圧洗浄装置。
【請求項４】
前記高圧ホースは、パイプの他端にＵ字管を介して連結されることを特徴とする請求項３に記載の原子炉ジェットポンプのノズル内高圧洗浄装置。
【請求項５】
前記位置決めガイドに、位置決めガイドをスロート内の一定の位置に保持するアーム機構を取り付けたことを特徴とする請求項３または４に記載の原子炉ジェットポンプのノズル内高圧洗浄装置。
【発明の詳細な説明】
【技術分野】
【０００１】
本発明は、原子炉圧力容器内に設置されたジェットポンプに組み込まれたインレットミキサのノズル内部を洗浄する原子炉ジェットポンプのノズル内高圧洗浄装置に関する。
【背景技術】
【０００２】
沸騰水型原子炉圧力容器内にはジェットポンプが設置されており、このジェットポンプを長年にわたり運転すると、ジェットポンプに組み込まれたインレットミキサにクラッドが堆積する。クラッドがジェットポンプのインレットミキサに堆積すると、ジェットポンプの性能が低下し、再循環ポンプの負荷が増大する。そこで、ジェットポンプの性能を維持し、再循環ポンプの負荷を減らすために、定期的にジェットポンプのインレットミキサに堆積したクラッドを除去する必要がある。なお、クラッドは主にインレットミキサのノズルに堆積する。
【０００３】
従来からジェットポンプのインレットミキサのノズルを洗浄する場合、インレットミキサをジェットポンプから取り外した後、原子炉の外でインレットミキサを上下逆の向きに置いて行なっている。
【０００４】
一方、ジェットポンプに組み込まれたインレットミキサを原子炉圧力容器内に設置したままの状態でインレットミキサのノズルを洗浄することも従来から行なわれている。例えば、洗浄ヘッドを有するノズル内高圧洗浄装置をスロート上端にある開口からノズル側へ挿入して、挿入した洗浄ヘッドから水を高圧でノズル内に噴射することによりクラッドを除去することも行なわれている。この場合、ノズル内高圧洗浄装置に内蔵された電動モータを駆動することにより洗浄ヘッドを回転し、また当該電動モータと同一または別の電動モータを駆動することにより洗浄ヘッドをノズル内で上下方向に移動させている。
【発明の開示】
【発明が解決しようとする課題】
【０００５】
上述のように、ジェットポンプからインレットミキサを取り外した後でインレットミキサのノズル内を洗浄する場合、インレットミキサの取り外しと取り付けに多大の時間と労力を要する。このため、コスト面において不利であり、他の作業と別にクラッド除去作業のみを単独で行なえない場合もある。
【０００６】
一方、インレットミキサが組み込まれたジェットポンプを原子炉圧力容器内に設置したままの状態でインレットミキサのノズルを洗浄する場合、開口内のスロート上端部周辺はノズル内高圧洗浄装置を挿入するスペースが狭いため、ノズル内高圧洗浄装置は大幅な構造上の制約を受ける。また仮に洗浄中に電動モータの不具合が発生した場合、ノズル内高圧洗浄装置をジェットポンプの中から外に取り出すことが著しく困難になるなど、信頼性の点において問題が生じている。
【０００７】
本発明はこのような点を考慮してなされたものであり、インレットミキサを原子炉圧力容器内に設置したままクラッドを除去することができ、電動モータ等の動作機構を設けることなく構造を単純化した原子炉ジェットポンプのノズル内高圧洗浄装置を提供することを目的とする。
【課題を解決するための手段】
【０００８】
本発明は、原子炉圧力容器内に設置されスロートを有するジェットポンプに組み込まれたインレットミキサのノズル内部を洗浄するノズル内高圧洗浄装置において、パイプと、
パイプの一端に設けられた洗浄ヘッドとを備え、洗浄ヘッドは、水平方向の全周方位に水を噴射する多数の噴射孔を有することを特徴とする原子炉ジェットポンプのノズル内高圧洗浄装置である。
【０００９】
本発明は、原子炉圧力容器内に設置されスロートを有するジェットポンプに組み込まれたインレットミキサのノズル内部を洗浄するノズル内高圧洗浄装置において、パイプと、パイプの一端に設けられた洗浄ヘッドとを備え、洗浄ヘッドは、水平方向に水を噴射する少なくとも一つの噴射孔を有し、洗浄ヘッドは噴射孔からの噴射水によりパイプに対して回転することを特徴とする原子炉ジェットポンプのノズル内高圧洗浄装置である。
【００１０】
本発明は、パイプの他端に連結されパイプの内部に水を供給する高圧ホースと、スロート内に配置され、パイプをスロート内で案内してノズル側へ導く位置決めガイドと、を更に備えたことを特徴とする原子炉ジェットポンプのノズル内高圧洗浄装置である。
【００１１】
本発明は、前記高圧ホースは、パイプの他端にＵ字管を介して連結されることを特徴とする原子炉ジェットポンプのノズル内高圧洗浄装置である。
【００１２】
本発明は、前記位置決めガイドに、位置決めガイドをスロート内の一定の位置に保持するアーム機構を取り付けたことを特徴とする原子炉ジェットポンプのノズル内高圧洗浄装置である。
【発明の効果】
【００１３】
本発明によれば、洗浄ヘッドが水平方向の全周方位に水を噴射する多数の噴射孔を有するため、洗浄ヘッドをインレットミキサのノズル内で回転させるための動作機構が不要になり、ノズル内高圧洗浄装置を簡素化することができる。
【００１４】
また本発明によれば、洗浄ヘッドが水平方向に水を噴射する噴射孔を有し、洗浄ヘッドは噴射孔から噴射水によりパイプに対して回転するため、洗浄ヘッドをインレットミキサのノズル内で回転させるための動作機構が不要となり、ノズル内高圧洗浄装置を簡素化することができる。
【００１５】
さらに、本発明によれば、高圧ホースを上方に引き上げることにより、パイプが位置決めガイドに沿って上昇し、洗浄ヘッドを上方に移動させてノズル内に挿入することができる。このため、洗浄ヘッドをインレットミキサのスロート内で上下動させるための動作機構が不要になり、ノズル内高圧洗浄装置を簡素化することができる。
【発明を実施するための最良の形態】
【００１６】
以下、図面を参照して本発明の実施の形態について説明する。ここで、図１（ａ）はインレットミキサが組み込まれたジェットポンプを示す側断面図、図１（ｂ）は図１（ａ）の底面図、図２（ａ）はインレットミキサが組み込まれたジェットポンプの内部に挿入されたノズル内高圧洗浄装置を示す側断面図、図２（ｂ）は図２（ａ）の底面図、図２（ｃ）は洗浄ヘッドを示す図、図３（ａ）はノズル内高圧洗浄装置を示す側面図、図３（ｂ）はノズル内高圧洗浄装置を示す底面図である。
【００１７】
まず、図１（ａ）（ｂ）により原子炉圧力容器内に設置されたジェットポンプについて説明する。図１（ａ）（ｂ）に示すように、原子炉圧力容器内にはジェットポンプ６が設置され、このジェットポンプ６はスロート２と、スロート２の上部に連結されたインレットミキサ１とを備え、インレットミキサ１はその内部に５本のノズル３を有している。またスロート２の上端部４には開口５が形成されている。
【００１８】
本発明による原子炉ジェットポンプのノズル内高圧洗浄装置１４は、図２（ａ）（ｂ）（ｃ）および図３（ａ）（ｂ）に示すように、上述したジェットポンプ６のインレットミキサ１を原子炉圧力容器内に設置したまま、インレットミキサ１のノズル３の内部を洗浄するものである。また、本発明によるノズル内高圧洗浄装置１４は、後述のようにノズル内高圧洗浄装置１４の内部に電動モータを備えることがなく、これによりノズル内高圧洗浄装置１４の全体の構造が簡素化され、ノズル内高圧洗浄装置１４の信頼性を高めている。
【００１９】
次に、本発明によるノズル内高圧洗浄装置１４の概要を説明する。図２（ａ）（ｂ）（ｃ）および図３（ａ）（ｂ）に示すように、ノズル内高圧洗浄装置１４は、パイプ１１と、パイプの上端（一端）に設けられた円筒状の洗浄ヘッド１０とを備えている。洗浄ヘッド１０は、ノズル３の内部において水平方向の全周方位に水を噴射する多数の噴射孔１０ａを有している。
【００２０】
図３（ａ）（ｂ）に示すようにパイプ１１の下端（他端）には、パイプ１１の内部に水を供給するフレキシブルな構造を有する高圧ホース５が、Ｕ字管１２を介して連結されている。また、スロート２内には、スロート２内においてパイプ１１を案内してノズル３側へ導く位置決めガイド１３が設けられている。さらに、図２（ｂ）に示すように、位置決めガイド１３には、スロート２内の後述する所定位置に位置決めガイド１３を保持するためのアーム機構１７が取り付けられている。このアーム機構１７は、位置決めガイド１３の上端部１３ａにアーム機構１７が斜め上方に向くように取り付けられ、細長い棒のような形状を有している。
【００２１】
次に、本実施の形態の作用について述べる。
まず、ジェットポンプ６のスロート２のスロート上端部４にある開口５から、ノズル内高圧洗浄装置１４をスロート２内に挿入する。この場合、ノズル内高圧洗浄装置１４は洗浄ヘッド１０が取り付けられていない一端側１４ａをスロート２の斜め下方に向けて挿入する。また、高圧ホース１５およびアーム機構１７は、スロート２の外方に出ている。
【００２２】
次に、開口５の外方にあるアーム機構１７の一端１７ａを動かし、位置決めガイド１３およびパイプ１０のスロート２内での位置を調整する。アーム機構一端１７ａをスロート２の内部で動かすことにより、位置決めガイド１３およびパイプ１０が所望のノズル３の略真下の位置になるように配置し、そのままアーム機構一端１７ａを保持する。続いて、アーム機構一端１７ａを保持固定したまま、スロート２の外方に出ている高圧ホース１５を上方に引っ張ると、パイプ１１はスロート２内部で位置決めガイド１３に沿って上昇する。パイプ１１がスロート２内部で上昇すると、洗浄ヘッド１０も上方に移動され、洗浄ヘッド１０はノズル３内部に挿入される。そのまま高圧ホース１５をスロート２の外方で保持する。
【００２３】
ところで、位置決めガイド１３は略円筒状をなし、パイプ１１が上昇する間、パイプ１１と高圧ホース１５とを連結するＵ字管１２は位置決めガイド１３の切欠（図示せず）に沿って上昇する。
【００２４】
その後高圧ホース１５からパイプ１１に高圧の水を供給すると、水はパイプ１１内部を通過し、パイプ１１内部を通過した水は洗浄ヘッド１０から洗浄ヘッド１０の外に噴射孔１０ａを経て噴射され、ノズル３内部に堆積したクラッドを除去することができる。このとき洗浄ヘッド１０は多数の噴射孔１０ａを有するので、洗浄ヘッド１０はノズル３の内部において水平方向の全周方位に水を噴射することができる。
【００２５】
なお、洗浄ヘッド１０の噴射孔１０ａの噴射方向を予め斜め上方に形成することにより、洗浄ヘッド１０に対して噴射孔１０ａから噴射する水により下向きの推力を付与することができる。この場合、スロート２の外方で高圧ホース１５を保持する力を緩めると、パイプ１１は前記推力および重力の作用により位置決めガイド１３に沿って下降し、洗浄ヘッド１０を下方に向かってスムースに下降させることができる。
【００２６】
また、洗浄ヘッド１０の噴射孔１０ａから水を水平に噴射させた状態において、アーム機構１７の一端１７ａの位置を保持したまま、スロート２の外方で高圧ホース１５を上方に引き上げることにより、パイプ１１が位置決めガイド１３に沿って上昇し、洗浄ヘッド１０を上方に移動させることができる。このようにして、ノズル内高圧洗浄装置１４を用いてノズル３の内部を満遍なく洗浄することができる。
【００２７】
このように、洗浄ヘッド１０を回転させることなく、かつ容易に洗浄ヘッド１０を上下動させることができる。このため、洗浄ヘッド１０を回転させたり上下動させたりするための電動モータ等の動作機構が不要となる。これによりノズル内高圧洗浄装置４の全体の構造を簡素化することができる。また、仮に洗浄ヘッド１０がノズル３の内部の洗浄中に故障してもノズル内高圧洗浄装置４をジェットポンプ６の内部から外へ容易に取り出すことができる。
【００２８】
次に、図４（ａ）（ｂ）（ｃ）（ｄ）により、本発明による原子炉ジェットポンプのノズル内高圧洗浄装置の変形例について説明する。
【００２９】
図４（ａ）（ｂ）（ｃ）（ｄ）に示す原子炉ジェットポンプのノズル内高圧洗浄装置の変形例は、洗浄ヘッドの構造が異なるのみであり、他は図１（ａ）（ｂ）、図２（ａ）（ｂ）（ｃ）および図３（ａ）（ｂ）に示す実施の形態と略同一である。
図４（ａ）（ｂ）（ｃ）（ｄ）において、図１（ａ）（ｂ）、図２（ａ）（ｂ）（ｃ）および図３（ａ）（ｂ）に示す実施の形態と同一部分には同一符号を付して詳細な説明は省略する。
【００３０】
図４（ａ）（ｂ）（ｃ）に示すように、パイプ１１の上端に軸受２０を介して円筒状の洗浄ヘッド１０が回転自在に連結されている。洗浄ヘッド１０には少なくとも１つ、好ましくは複数個の噴射孔１０ａが形成され、各噴射孔１０ａの開口方向は洗浄ヘッド１０の接線成分を含んでいる。このため各噴射孔１０ａから水が噴射された場合、噴射水によってノズル３内が洗浄され、かつこの噴射水により洗浄ヘッド１０に回転力が付与されて洗浄ヘッド１０が軸受２０上で旋回する。
【００３１】
このように、噴射孔１０ａからの噴射水により生じた回転力によって洗浄ヘッド１０が回転すると、噴射孔１０ａから噴射水が満遍なくノズル３内に噴射されてノズル３内を確実に洗浄することができる。
【図面の簡単な説明】
【００３２】
【図１】インレットミキサが組み込まれたジェットポンプを示す図。
【図２】インレットミキサが組み込まれたジェットポンプの内部に挿入された本発明によるノズル内高圧洗浄装置を示す図。
【図３】ノズル内高圧洗浄装置を示す図。
【図４】インレットミキサが組み込まれたジェットポンプの内部に挿入されたノズル内高圧洗浄装置の変形例を示す図。
【符号の説明】
【００３３】
１        インレットミキサ
２        スロート
３        ノズル
４        スロート上端部
５        開口
６        ジェットポンプ
１０      洗浄ヘッド
１０ａ    噴射孔
１１      パイプ
１２      Ｕ字管
１３      位置決めガイド
１４      ノズル内高圧洗浄装置
１４ａ    ノズル内高圧洗浄装置の一端側
１５      高圧ホース
１７      アーム機構
１７ａ    アーム機構の一端
２０      軸受
【図１】
2007178191.tif 000003
【図２】
2007178191.tif 000004
【図３】
2007178191.tif 000005
【図４】
2007178191.tif 000006